(57)【要約】      （修正有）【課題】かご室パネル同士をボルト締結せずに、かつ、かご室パネルに加工誤差が生じても面合わせが可能なエレベータのかご室を提供する。【解決手段】締結面の一方に設けられ、締結面の一方が形成されるかご室パネル表面９ａとの距離にばらつきがある鉛直内面を有する締結穴１３と、締結面の他方に設けられ、外周面が鉛直内面にかご室内外側への移動を規制されながら締結面の一方に係合する締結ピン１４とを備え、締結ピン１４は、かご室パネル９ａ、９ｂの接合の前に、ばらつきに応じて外周面と締結面の他方が形成されるかご室パネル表面９ｂとの距離を調整可能に構成される。【選択図】図４
2008280118.tif 000002
【特許請求の範囲】
【請求項１】
隣接するかご室パネルの縁部にそれぞれ形成される締結面が接合手段により接合されるエレベータのかご室において、
前記接合手段は、
前記締結面の一方に設けられ、前記締結面の一方が形成される前記かご室パネル表面との距離にばらつきがある鉛直内面を有する締結穴と、
前記締結面の他方に設けられ、外周面が前記鉛直内面に前記かご室内外側への移動を規制されながら前記締結面の一方に係合する締結ピンと、
を備え、
前記締結ピンは、前記ばらつきに応じて前記外周面と前記締結面の他方が形成される前記かご室パネル表面との距離を調整可能に構成されることを特徴とするエレベータのかご室。
【請求項２】
締結ピンは、複数組の略同距離を保つ平行面を有する多角外周面を備え、前記複数組の平行面との距離が異なる位置で締結面の他方に軸支されて回転されることにより、前記複数組の平行面のうち、かご室内外側に配置される平行面が選択可能に構成されることを特徴とする請求項１記載のエレベータのかご室。
【請求項３】
締結穴は、所定箇所に拡大挿入穴が形成され、
締結ピンは、締結面の一方の外面側から前記拡大挿入穴に頭部が挿入された後に鉛直方向に移動されることにより前記頭部が前記向締結面の一方の内面に係合することを特徴とする請求項１又は請求項２に記載のエレベータのかご室。
【請求項４】
締結穴は、かご室外側から形成される切り欠き部と連結され、
締結ピンは、締結面の一方のかご室外側から前記切り欠き部に外周面を沿わせた後に鉛直方向に移動されることにより頭部が前記第締結面の一方の内面に係合することを特徴とする請求項１又は請求項２に記載のエレベータのかご室。
【請求項５】
複数組の平行面は、互いに異なる識別子を備えたことを特徴とする請求項２〜誠請求項４のいずれかに記載のエレベータのかご室。
【請求項６】
識別子は、異なる色の着色体で構成されることを特徴とする請求項５記載のエレベータのかご室。
【請求項７】
締結面の少なくとも一方は、外面側に凹部が設けられ、
締結穴及び締結ピンの少なくとも一方は、前記凹部の底部に設けられ、
前記締結ピンは、前記凹部の底部を前記外面側に弾性変形させながら前記締結面双方の外面同士を当接させた状態で頭部が前記締結面の一方の内面に係合することにより、前記底部の復元力を利用して前記外面同士の密着を維持させることを特徴とする請求項３〜請求項６のいずれかに記載のエレベータのかご室。
【発明の詳細な説明】
【技術分野】
【０００１】
この発明は、エレベータのかご室に関するものである。
【背景技術】
【０００２】
従来のエレベータのかご室は、かご室パネルの側面同士を合わせ、ボルト締結していた。この際、隣り合って対となる互いの締結面に設けられたガイド穴に案内棒を挿通することで、かご室パネルのかご室内側表面の面合わせを行っていた（例えば、特許文献１参照）。
【０００３】
【特許文献１】特許２５０８９０２号公報
【発明の開示】
【発明が解決しようとする課題】
【０００４】
しかし、特許文献１記載のものは、ガイド穴の配置位置には、かご室パネルの曲げ寸法誤差、穴あけ寸法誤差等の加工誤差がある。このため、ガイド穴を基準に面合わせを行うと、面が合わなくなる可能性がある。また、面が合わない場合はガイド穴を利用せず、ボルト穴の余裕分で面合わせ調整を行い、ボルト締結して固定するため、かご室パネル同士の固定に時間がかかっていた。
【０００５】
この発明は、上述のような課題を解決するためになされたもので、その目的は、かご室パネル同士をボルト締結せずに、かつ、かご室パネルに加工誤差が生じても面合わせが可能なエレベータのかご室を提供することである。
【課題を解決するための手段】
【０００６】
この発明に係るエレベータのかご室は、隣接するかご室パネルの縁部にそれぞれ形成される締結面が接合手段により接合されるエレベータのかご室において、前記接合手段は、前記締結面の一方に設けられ、前記締結面の一方が形成される前記かご室パネル表面との距離にばらつきがある鉛直内面を有する締結穴と、前記締結面の他方に設けられ、外周面が前記鉛直内面に前記かご室内外側への移動を規制されながら前記締結面の一方に係合する締結ピンとを備え、前記締結ピンは、前記かご室パネルの接合の前に、前記ばらつきに応じて前記外周面と前記締結面の他方が形成される前記かご室パネル表面との距離を調整可能に構成されるものである。
【発明の効果】
【０００７】
この発明は、隣接するかご室パネルの縁部にそれぞれ形成される締結面が接合手段により接合されるエレベータのかご室において、前記接合手段は、前記締結面の一方に設けられ、前記締結面の一方が形成される前記かご室パネル表面との距離にばらつきがある鉛直内面を有する締結穴と、前記締結面の他方に設けられ、外周面が前記鉛直内面に前記かご室内外側への移動を規制されながら前記締結面の一方に係合する締結ピンとを備え、前記締結ピンは、前記かご室パネルの接合の前に、前記ばらつきに応じて前記外周面と前記締結面の他方が形成される前記かご室パネル表面との距離を調整可能に構成されるため、かご室パネル同士をボルト締結せずに、かつ、かご室パネルに加工誤差が生じても面合わせが可能なエレベータのかご室を提供することができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご室が昇降する昇降路の概略縦断面図、図２はこの発明の実施の形態１におけるエレベータのかご室のかご室壁の斜視図、図３はこの発明の実施の形態１におけるエレベータのかご室のかご室壁の平面図、図４はこの発明の実施の形態１におけるエレベータのかご室の隣接するかご室パネルの接合前の斜視図、図５は図４の要部を拡大した正面図、図６はこの発明の実施の形態１におけるエレベータのかご室の隣接するかご室パネルの接合後の横断面図であって、隣接するかご室パネルのかご室内側表面が同一平面上に配置される状態を示す図、図７はこの発明の実施の形態１におけるエレベータのかご室の隣接するかご室パネルの接合後の横断面図であって、隣接するかご室パネルのかご室内側表面が同一平面上に配置されずに段差が生じた状態を示す図、図８は図７の段差を接合手段により吸収して接合されるかご室パネルを示した図である。
【００１０】
図１において、釣り合いおもり１及びかご２は、それぞれ、おもりガイドレール３及びかごガイドレール４に沿って昇降路５内を反対方向に昇降する。このかご２は、かご床、天井、かごの戸（ともに図示せず）、かご室壁６でかご室２ａと昇降路５と空間を区切り、乗客の安全を図っている。かご室壁６は、１．２ｍｍ〜２．０ｍｍ程度の厚さからなる複数のかご室パネルで形成されており、かご２の出入口両側に立設されるかご室パネル袖壁７、かご２の出入口対向側に立設されるかご室パネル後面壁８、かご２の両側に立設されるかご室パネル側面壁９が構成される（図２及び図３参照）。このかご室壁６は、かご室パネル後面壁８及びかご室パネル側面壁９の上下縁部をかご室２ａ外側へ折り曲げた端部に複数形成される締付穴１０、１１を介してボルト等（図示せず）によりかご床及び天井に固定される前に、隣接するかご室パネルの縁部のかご室２ａ外側にそれぞれ形成される締結面が接合手段により接合されるものである。この発明のエレベータのかご室２ａは、接合手段に特徴を有するものである。以下、この発明のエレベータのかご室２ａを詳細に説明する。
【００１１】
図４は、一側のかご室パネル側面壁９を構成するかご室パネル９ａ、９ｂの接合前を示したものであって、鉛直方向に複数配置される接合手段のうち、上部のもののみを示している。図４において、１２ａ、１２ｂは、それぞれ、かご室パネル９ａ、９ｂの対向縁部が水平投影面略Ｊ字状にかご室２ａ外側へ曲成されることにより形成される締結面の一方を構成する第一締結面、締結面の他方を構成する第二締結面である。この第一締結面１２ａの所定箇所には、一方のかご室パネル９ａのかご室２ａ内側表面との距離に曲げ寸法等の加工誤差によるばらつきがある鉛直内面を有する所定幅の角穴からなる締結穴１３が形成されている。この締結穴１３の下端は、拡幅されかつその幅と同等の高さを有する角穴からなる拡大挿入穴１３ａが設けられている。
【００１２】
一方、第二締結面１２ｂには、かご室パネル９ａ、９ｂ同士を接合した際に第一締結面１２ａの拡大挿入穴１３ａよりもやや高く配置される位置に、第一締結面１２ａ側に水平方向に突出する締結ピン１４が設けられている。この締結ピン１４の外周面は、縦断面縁部が略正方形状であり、二組の平行面は締結穴１３の幅よりもやや短い略同距離となるように形成されている。また、締結ピン１４は、二組の平行面との距離が異なる位置で締結ピン固定軸１５を介して第二締結面１２ｂに軸支され、回転することにより、二組の平行面のうち、かご室２ａ内外側に配置させる平行面を締結穴１３の鉛直内面に案内させる角穴係合部として選択可能となっている。これにより、係合ピン１４は、かご室パネル９ａ、９ｂの接合の前に、かご室係合穴１３の鉛直内面と一方のかご室パネル９ａのかご室２ａ内側表面との距離のばらつきに応じて、外周面と他方のかご室パネル９ｂとの距離を調整可能に構成されている。
【００１３】
即ち、図５における締結ピン１４外周の一側平面１４ｂと締結ピン固定軸１５の中心との距離はＬ１であるのに対し、他側平面１４ｃと締結ピン固定軸１５の中心との距離はＬ１よりも短いＬ２となっている。つまり、一側平面１４ｂ及び他側平面１４ｃは、締結ピン固定軸１５に対していわゆる偏芯した寸法設定となっている。一方、図５における締結ピン１４外周の上面及び下面からなる通常時平面１４ｄと締結ピン固定軸１５の中心との距離は、ともに同距離からなるＬ３となっている。より具体的には、締結ピン１４外周の二組の平行面は、ともに１５ｍｍ〜２０ｍｍ程度の距離を保って形成され、締結ピン固定軸１５外径は、φ６ｍｍ〜８ｍｍ程度に、Ｌ１とＬ２の差は０．５ｍｍ〜１．０ｍｍ程度になるように形成されている。また、締結ピン１４の第一締結面１２ａ側端には、段差をもって形成されて拡大挿入穴１３ａの幅及び高さよりも短く、かつ、締結穴１３の幅よりも長い距離をもって配置される二組の平行面を有する鉛直投影面略正方形状の頭部１４ａが設けられている。
【００１４】
上記構成の締結ピン１４は、締結穴１３の鉛直内面と一方のかご室パネル９ａのかご室２ａ内側表面との距離のばらつきに応じて、締結ピン１４のかご室２ａ内外側に配置させる平行面が選択される。そして、締結ピン１４の頭部１４ａが第一締結面１２ａの外面側から締結穴１３の拡大挿入穴１３ａに挿入される。その後、他方のかご室パネル９ｂが一方のかご室パネル９ａに対して鉛直上向きに移動されることにより、締結ピン１４の頭部１４ａ座面が第一締結面１２ａの内面の締結穴１３近傍に係合する。このとき、締結ピン１４の外周面が締結穴１３の鉛直内面にかご室２ａ内外側方向の移動を規制されることにより、かご室パネル９ａ、９ｂ同士のかご室２ａ内側表面が略同一平面上に配置される状態に維持される。
【００１５】
次に、かご室パネル９ａ、９ｂの接合手順を、加工誤差等の状況を踏まえてより詳細に説明する。まず、かご室パネル９ａ、９ｂの曲げ寸法、締結穴１３あけ寸法、締結ピン１４の取り付け位置寸法等の加工誤差が微小である場合は、図６に示すように、通常時平面１４ｄをかご室２ａ内外側に配置させる。その後、締結ピン１４の頭部１４ａが拡大挿入穴１３ａへ挿入され、通常時平面１４ｄを締結穴１３の鉛直内面に沿わせて他方のかご室パネル９ｂが一方のかご室パネル９ａに対して鉛直上向きに移動される。そして、締結ピン１４の頭部１４ａ座面が第一締結面１２ａの内面の締結穴１３近傍に係合することによりかご室パネル９ａ、９ｂ同士がかご室２ａ内側表面を略同一平面上に配置させて接合される。
【００１６】
一方、かご室パネル９ａ、９ｂの曲げ寸法等の加工誤差から、通常時平面１４ｄを締結穴１３の鉛直内面に沿わしてかご室パネル９ａ、９ｂ同士が接合されると、一方のかご室パネル９ａのかご室２ａ内側表面が、他方のかご室パネル９ｂのかご室２ａ内側表面よりもかご室２ａ外側に配置されて段差１６が生じることがある（図７参照）。この場合は、かご室パネル９ａ、９ｂの接合の前に、締結ピン１４を回転させることにより、一側平面１４ｂをかご室２ａ内側へ配置させ、他側平面１４ｃをかご室２ａ外側へ配置させる（図８参照）。これにより、各種寸法誤差を吸収してかご室パネル９ａ、９ｂ同士がかご室２ａ内側表面を略同一平面上に配置させて接合される。
【００１７】
また、図示しないが、通常時平面１４ｄを締結穴１３の鉛直内面に沿わしてかご室パネル９ａ、９ｂ同士が接合されると、他方のかご室パネル９ｂのかご室２ａ内側表面が、一方のかご室パネル９ａのかご室２ａ内側表面よりもかご室２ａ外側に配置されて段差が生じることもある。この場合は、上述した一側平面１４ｂ及び他側平面１４ｃの配置を反転させてかご室２ａ内外側とすることにより、各種寸法誤差を吸収してかご室パネル９ａ、９ｂ同士がかご室２ａ内側表面を略同一平面上に配置させて接合される。
【００１８】
以上で説明した実施の形態１によれば、締結ピン１４の頭部１４ａが拡大挿入穴１３ａに挿入された後に座面が第一締結面１２ａの内面に係合するため、かご室パネル９ａ、９ｂをボルトで締結する必要がなく作業時間が短縮できる。また、加工誤差による締結穴１３の鉛直内面と一方のかご室パネル９ａのかご室２ａ内側表面との距離のばらつきに応じて、締結ピン１４のかご室２ａ内外側の外周面と他方のかご室パネル９ｂの表面との距離が調整可能になっている。このため、かご室パネル９ａ、９ｂの製作過程において生じ得る曲げ寸法誤差、締結穴１３あけ寸法誤差等の加工誤差があっても、当該寸法誤差を吸収して容易に隣接するかご室パネル９ａ、９ｂ同士のかご室２ａ内側表面を略同一平面上に配置するように平面度を確保して面合わせでき、芯出し精度が向上する。即ち、実際のかご室パネル９ａ、９ｂを据え付けで組み立てる場合には、そのかご室２ａ内側表面に０．５ｍｍ〜１．０ｍｍ程度のずれ量が生じることが多いが、締結ピン１４の外周の一側平面１４ｂと締結ピン固定軸１５の中心の距離Ｌ１との他側平面１４ｃと締結ピン固定軸１５の中心の距離Ｌ２の差を０．５ｍｍ〜１．０ｍｍ程度とすることにより、上記ずれ量を吸収できる。
【００１９】
なお、実施の形態１では、拡大挿入穴１３ａは角穴で構成されたが、係合ピン１４の頭部１４ａが挿入可能であれば丸穴であっても構わない。また、接合手段は、かご室パネル後面壁８を構成するかご室パネルの接合にも適応できるのはいうまでもない。さらに、かご室パネル側面壁９は、かご室パネル袖壁７やかご室パネル後面壁８とかご室２ａ内側表面を略同一平面上に配置させる必要はないが、上述した接合手段を用いることよりボルトで締結する必要がなくなる点では同様の効果を奏する。
【００２０】
また、実施の形態１では、締結ピン１４の縦断面縁部が略正方形状である場合で説明したが、締結ピン１４の縦断面縁部が略正多角形等、複数組の平行面が略同距離となるような多角外周面を備え、複数組の平行面との距離が異なる位置で第二締結面１２ｂに軸支される構成でもよい。この場合は、締結ピン１４のかご室２ａ内外側に配置される外周面と他方のかご室パネル９ｂのかご室２ａ側表面の距離が、平行面の組数だけ段階的に調整可能となるため、かご室パネル９ａ、９ｂを略同一平面上に配置させるためにより細かく微調整できる。
【００２１】
実施の形態２．
図９はこの発明の実施の形態２におけるエレベータのかご室の隣接するかご室パネルの接合前の斜視図である。なお、実施の形態１と同一又は相当部分には同一符号を付して説明を省略する。
【００２２】
実施の形態１の締結穴１３の下端には拡大挿入穴１３ａが形成されていた。一方、実施の形態２の締結穴１３の下端にはかご室２ａ外側から形成される切り欠き部１３ｂが連結されている。この場合、締結ピン１４が第一締結面１２ａのかご室２ａ外側から切り欠き部１３ｂに外周面を沿わせて水平方向に移動された後に他方のかご室パネル９ｂが一方のかご室パネル９ａに対して鉛直上向きに移動されることにより、締結ピン１４の頭部１４ａ座面が第一締結面１２ａ内面に係合される構成となる。
【００２３】
以上で説明した実施の形態２によれば、実施の形態１と同様の効果を奏する。
【００２４】
実施の形態３．
図１０はこの発明の実施の形態３におけるエレベータのかご室に用いられる締結ピンの斜視図、図１１はこの発明の実施の形態３におけるエレベータのかご室に用いられる締結ピンの正面図である。なお、実施の形態１と同一又は相当部分には同一符号を付して説明を省略する。
【００２５】
実施の形態３では、実施の形態１の構成に加え、締結ピン１４の外周面を構成する平行面側にそれぞれ配置される頭部１４ａの外周面に互いに異なる識別子として異なる色の着色体１６ａ〜１６ｃを塗布して着色する構成とした。具体的には、図１１において、締結ピン固定軸１５中心との距離がＬ１となる締結ピン１４外周の一側平面１４ｂ側に配置される頭部１４ａ外周平面は色Ａからなる着色体１６ａで着色される一方、他側平面１４ｃ側に配置される頭部１４ａ外周平面は色Ａと異なる色Ｂからなる着色体１６ｂで着色されている。そして、締結ピン固定軸１５中心との距離がともにＬ３となる締結ピン１４の通常時平面１４ｄ側の頭部１４ａ外周平面はともに色Ａ及び色Ｂと異なる色Ｃからなる着色体１６ｃで着色されている。これにより、作業者は、締結ピン１４の頭部１４ａの色を目印として、締結穴１３の鉛直内面に沿わせる外周面を選択する。
【００２６】
以上で説明した実施の形態３によれば、作業者は、締結ピン１４外周の一側平面１４ｂと締結ピン固定軸１５の中心との距離Ｌ１と締結ピン１４の首部外周の他側平面１４ｃと締結ピン固定軸１５の中心との距離Ｌ２の差が０．５ｍｍ〜１．０ｍｍ程度と微小であっても、締結ピン１４の頭部１４ａの色を目印として、締結穴１３の鉛直内面に這わせる外周面の判別が容易となる。
【００２７】
実施の形態４．
図１２はこの発明の実施の形態４におけるエレベータのかご室の隣接するかご室パネルの接合後の横断面図である。なお、実施の形態１と同一又は相当部分には同一符号を付して説明を省略する。
【００２８】
実施の形態１では、第二締結面１２ｂの平坦面からなる外面に締結ピン１４が軸支される構成であり、締結ピン１４の頭部１４ａは、単なる差込みによって第一締結面１２ａの内面に係合していた。
【００２９】
一方、実施の形態４では、第二締結面１２ｂの外面側中間部に凹部１７が設けられており、この凹部１７の底部に実施の形態１のものよりもやや長い締結ピン１４が頭部１４ａ座面と第二締結面１２ｂの外面両側との隙間を第一締結面１２ｂのパネル厚よりも若干短くなるようにして軸支されている。この場合、締結ピン１４は、第二締結面１２ｂの凹部１７の底部を外面側に弾性変形させながら第一締結面１２ａ及び第二締結面１２ｂの外面同士を当接させた状態で、頭部１４ａが第一締結面１２ａの内面に係合する。このとき、凹部１７の底部の復元力が利用されて第一締結面１２ａと第二締結面１２ｂの外面同士の密着が維持されるようになっている。
【００３０】
以上で説明した実施の形態４によれば、実施の形態１の効果に加え、第一締結面１２ａに設けられる凹部１７の底部の復元力を利用して第一締結面１２ａと第二締結面１２ｂの外面同士の密着が維持されるため、かご室パネル９ａ、９ｂ等すべてのかご室パネルの接合が終了した後にかご室壁６をかご床及び天井に固定する際の作業性が向上する。即ち、かご室パネル自体にバネ性を持たせることで、特に他の部品の追加をすることなく作業性が向上する。
【００３１】
なお、実施の形態４では、第二締結面１２ｂのみに凹部１７を設けたが、第一締結面１２ａに凹部を設けたり、第一締結面１２ａ及び第二締結面１２ｂ双方に凹部を設けても同様の効果を奏するのはいうまでもない。
【図面の簡単な説明】
【００３２】
【図１】この発明の実施の形態１におけるエレベータのかご室が昇降する昇降路の概略縦断面図である。
【図２】この発明の実施の形態１におけるエレベータのかご室のかご室壁の斜視図である。
【図３】この発明の実施の形態１におけるエレベータのかご室のかご室壁の平面図である。
【図４】この発明の実施の形態１におけるエレベータのかご室の隣接するかご室パネルの接合前の斜視図である。
【図５】図４の要部を拡大した正面図である。
【図６】この発明の実施の形態１におけるエレベータのかご室の隣接するかご室パネルの接合後の横断面図であって、隣接するかご室パネルのかご室内側表面が同一平面上に配置される状態を示す図である。
【図７】この発明の実施の形態１におけるエレベータのかご室の隣接するかご室パネルの接合後の横断面図であって、隣接するかご室パネルのかご室内側表面が同一平面上に配置されずに段差が生じた状態を示す図である。
【図８】図７の段差を接合手段により吸収して接合されるかご室パネルを示した図である。
【図９】この発明の実施の形態２におけるエレベータのかご室の隣接するかご室パネルの接合前の斜視図である。
【図１０】この発明の実施の形態３におけるエレベータのかご室に用いられる締結ピンの斜視図である。
【図１１】この発明の実施の形態３におけるエレベータのかご室に用いられる締結ピンの正面図である。
【図１２】この発明の実施の形態４におけるエレベータのかご室の隣接するかご室パネルの接合後の横断面図である。
【符号の説明】
【００３３】
１  釣り合いおもり
２  かご
２ａ  かご室
３  おもりガイドレール
４  かごガイドレール
５  昇降路
６  かご室壁
７  かご室パネル袖壁
８  かご室パネル後面壁
９  かご室パネル側面壁
９ａ、９ｂ  かご室パネル
１０、１１  締付穴
１２ａ  第一締結面
１２ｂ  第二締結面
１３  締結穴
１３ａ  拡大挿入穴
１３ｂ  切り欠き部
１４  締結ピン
１４ａ  頭部
１４ｂ  一側平面
１４ｃ  他側平面
１４ｄ  通常時平面
１５  締結ピン固定軸
１６  段差
１６ａ、１６ｂ、１６ｃ  着色体
１７  凹部
【図１】
2008280118.tif 000003
【図２】
2008280118.tif 000004
【図３】
2008280118.tif 000005
【図４】
2008280118.tif 000006
【図５】
2008280118.tif 000007
【図６】
2008280118.tif 000008
【図７】
2008280118.tif 000009
【図８】
2008280118.tif 000010
【図９】
2008280118.tif 000011
【図１０】
2008280118.tif 000012
【図１１】
2008280118.tif 000013
【図１２】
2008280118.tif 000014